(57)【特許請求の範囲】
【請求項１】
エンドキャップ（１０）の中空円柱部（１６）をパイプ（１５）にゆるく外嵌し、前記中空円柱部の内底面（１４）に固定されたインナースリーブ（２０）を前記パイプに内嵌して前記エンドキャップを前記パイプに装着する機構であって、前記インナースリーブは弾性を有する合成樹脂成形品であり、前記中空円柱部内底面に固定される固定部（２１）と、前記固定部の外周部から周方向に間隔をあけて軸方向に延長する複数の支持アーム（２２）と、周方向に隣合う前記支持アームの間にそれぞれ配置されたフォーク（２３）とからなり、前記支持アームの延長端部２６両側は前記フォークの中央部（２８）両側と一体に接合し、前記フォークの外面は根元部（２７）の外径が先端部（２９）よりも大きくなるように傾斜し、前記フォーク先端部に１つ以上の突起（２４）が形成され、前記フォークと前記突起の最大外半径は前記パイプの内径よりも少し大きいことを特徴とするエンドキャップのパイプへの装着機構。
【請求項２】
インナースリーブ（２０）の固定部（２１）はエンドキャップ（１０）の内底面（１４）に回り止め固定され、突起（２４）の傾斜は先端側が緩く、根元側が急であることを特徴とする請求項１記載のエンドキャップのパイプへの装着機構。
【発明の詳細な説明】
【０００１】
【発明の属する技術分野】
本発明は円筒状パイプからなるカーテンレール、ブラインド等にエンドキャップを装着するための機構に関する。
【０００２】
【従来の技術】
円筒状パイプからなるカーテンポール、ベネシャンブラインドのヘッドレール及びボトムレール、ロールスクリーンのウェイトバーの両端には、ユーザーの好みに合わせた形状又は装飾を有するエンドキャップを装着することができる。この場合、エンドキャップは脱着自在であり、パイプ端部に少し強く押し込んで装着する。
【０００３】
従来のエンドキャップの装着機構は、図５に示すように、エンドキャップ１０をパイプ１５にゆるく外嵌し、エンドキャップ１０の内部に同軸固定したバレル状のインナースリーブ１１をパイプ１５に弾性的に内嵌して装着していた。インナースリーブ１１は複数のスリット１２により周方向に分割されて、フォーク１３を形成していた。フォーク１３は収縮してパイプ１５に内嵌し、その弾性反発力によりエンドキャップ１０の脱落を防止していた。
【０００４】
【発明が解決しようとする課題】
従来の機構は、パイプ１５の内面とフォーク１３の外周面が１つの横断面のみにおいて接触するから、インナースリーブ１１とパイプ１５の嵌合は不安定であり、触れただけでエンドキャップ１０が抜けたりずれたりするという問題があった。
本発明はこの問題を解決するためになされたものであり、その目的とするところは、エンドキャップのインナースリーブとパイプの嵌合が安定し、触れた程度でずれたり抜けたりしない装着機構を提供することにある。
【０００５】
【課題を解決するための手段】
前記目的を達成するため、本発明が採用する手段は、エンドキャップの内底面に同軸に固定されたインナースリーブの根元の固定部から周方向に間隔をあけて複数個の支持アームを軸方向に延長し、隣合う支持アームの間にそれぞれフォークを配置してフォークの中央部側面とアームの延長端部を一体に接合し、フォークの外面を先端側が低くなるように傾斜させ、フォークの最大半径をパイプの内半径よりも少し大きく設定し、フォークの先端部に突起を形成し、その突起の外半径をパイプの内半径より少し大きく設定したことにある。
【０００６】
【発明の実施の形態】
本発明の実施の態様を図１に示す実施例に基づいて説明する。
図１に示すように、エンドキャップ１０のパイプ１５にゆるく外嵌する中空円柱部１６の底面１４に、インナースリーブ２０の固定部２１を止めねじ１６によって固定する。インナースリーブ２０は弾性を有する合成樹脂成形品である。固定部２１から４本の軸心に関して対称な支持アーム２２が周方向に間隔をあけて延長する。隣合う支持アーム２２の間にはフォーク２３が配置され、そのフォーク２３の中央部２８両側に支持アームの延長端部２６が一体に接合する。各フォーク２３の外面は軸心を含む断面において先端側が先細りになるように傾斜し、その自由状態における最大半径はパイプ１５の内半径より少し大きい。各フォーク２３の先端部２９の両縁に突起２４が一体に形成され、自由状態におけるその突起の最大半径はフォーク２３の最大半径と同一である。支持アーム２２の外半径はパイプ１５の内半径よりも小さい。
【０００７】
エンドキャプ１０をパイプ１５に外嵌すると、インナースリーブ２０はパイプ１５に内嵌する。パイプ１５の内周面によりフォーク２３は内半径方向に押され、それにより支持アーム２２が弾性変形する。支持アーム２２の弾性反発力によりフォーク２３の外面がパイプ１５の内周面に押圧され、フォーク２３の根元部２７の最大外径部と先端部２９の突起２４がパイプ１５の内周面と接触する。したがって、パイプ１５の内周面とインナースリーブ２０の外周面は軸方向に離れた２つの横断面において接触するから、両者の嵌合は安定し、エンドキャップ１０に触れた程度でエンドキャップ１０の位置がずれるおそれはない。エンドキャップ１０はパイプに浅く挿入し、フォーク２４の突起によって一時的に仮止めすることも可能である。
【０００８】
【実施例】
本発明のインナースリーブを図面に示す実施例に基づいて説明する。
図２及び図３に示すように、インナースリーブ２０の固定部２１は軸方向に見ると十字形であり、その端面には凹部２５が刻設される。この溝２５は、図１に示すように、エンドキャップ１０の内底面１４に形成した十字形の凸部１７にはまり、インナースリーブ２０の回り止めとなる。フォーク２３の最大外径部は根元部２７にあるから、エンドキャップをパイプに内嵌したとき、フォーク２３のパイプ内周面との接触点が存在する２つの横断面の間隔はインナースリーブ２０の全長の半分より長くなり、パイプとインナースリーブ２０の嵌合を安定させる。
【０００９】
図２及び図４に示すように、フォーク２３は先端部２９が根元部２７よりも薄肉であるが広幅である。先端部２９に形成した突起２４は先端側が緩傾斜で根元側が垂直であるから、インナースリーブ２０のパイプへの挿入抵抗は小さく、パイプからの脱出抵抗は大きい。しかし、エンドキャップを少し強く引くと、インナースリーブをパイプから抜くことができる。支持アーム２２の延長端部２６と接合するフォーク２３の中央部２８はフォーク全長より少し根元側に寄る。
【００１０】
【発明の効果】
上記のとおり、本発明のエンドキャップのパイプへの装着機構は従来のエンドキャップのインナースリーブ外面とパイプ内面の接触点が１つの横断面上にあるものとは異なり、インナースリーブ外面とパイプ内面の接触点が軸方向に離れた２つの横断面上にあるから、インナースリーブとパイプの嵌合が安定し、触れた程度でエンドキャップがずれるおそれはないという優れた効果を奏する。
【図面の簡単な説明】
【図１】は本発明の一実施例の機構を備えたエンドキャップとパイプの縦断面図、
【図２】は図１のインナースリーブの側面図、
【図３】は図１のインナースリーブの背面図、
【図４】は図１のインナースリーブの正面図、
【図５】は従来例の図１に相当する図、
【符号の説明】
１０：エンドキャップ
１１：インナースリーブ
１２：スリット
１３：フォーク
１４：内底面
１５：パイプ
１６：中空円柱部
１７：凸部
２０：インナースリーブ
２１：固定部
２２：支持アーム
２３：フォーク
２４：突起
２５：凹部
２６：延長端部
２７：根元部
２８：中央部
２９：先端部
【図１】
0003620678.tif 000002
【図２】
0003620678.tif 000003
【図３】
0003620678.tif 000004
【図４】
0003620678.tif 000005
【図５】
0003620678.tif 000006